(57)【要約】【課題】ＣＤＭＡ方式などの通信によって時刻情報を取得する時計装置、時計装置用モジュール、および、時刻データ修正処理方式において、時刻情報の取得に関して所要の電力を大幅に抑制する。【解決手段】ＲＦ信号処理部１００で取得されたベースバンド信号に復号処理を施し、ベースバンド信号処理部２００の時刻データ取得部２１０において、該復号処理により得られたシンクチャネルメッセージから時刻データを取得するに際し、データ処理動作規制制御部３００によって、シンクチャネルメッセージの先頭部分に相応する時点からシンクチャネルメッセージ中の時刻データの出現時点よりも所定期間先行する時点までの期間に亘って、ＲＦ信号処理部１００およびベースバンド信号処理部２００を休止させる。【選択図】図１
2008170357.tif 000002
【特許請求の範囲】
【請求項１】
通信の目的とされるメッセージないしデータの搬送を担う主情報信号と該主情報信号の
送受信を可能にするべく基地局と移動局との通信の同期確保等のために時刻情報を含む所
定の各情報の一連の時系列の整列順位が確定した様式を有し当該主情報信号に関連して前
記基地局から送信される副情報信号とを含む情報信号を用いる通信方式による電波を受信
して復調しベースバンド信号を得るＲＦ信号処理部と、
前記ＲＦ信号処理部によって取得されたベースバンド信号に復号処理を施すように構成
され該復号処理により得られたデータにおける前記副情報信号に対応した副情報データか
ら前記時刻情報を表す時刻データを取得して該取得した時刻データに基づいて時刻修正用
データを得る時刻データ取得部を含むベースバンド信号処理部と、
前記ベースバンド信号処理部における復号処理で取得された副情報データの一連の時系
列の整列順位における先頭部分の到来が認識された時点を実効的な時の起算時点として、
前記副情報データの一連の時系列の整列順位における前記時刻データの出現時点よりも所
定期間先行する時点までの期間に亘って、前記ＲＦ信号処理部およびベースバンド信号処
理部の少なくとも何れかの該当部分におけるデータ処理動作を休止させ、該休止の期間に
続く期間に前記データ処理動作の休止を解除して前記データ処理動作を稼動させ、該稼動
により前記ベースバンド処理部での時刻データの取得が行われて以降は前記該当部分にお
けるデータ処理動作を休止させるデータ処理動作規制制御部と、
を備えたことを特徴とする時計装置。
【請求項２】
前記ベースバンド信号処理部の時刻データ取得部は、繰り返し到来する前記副情報信号
に対応した副情報データから前記時刻データを複数回繰り返して取得し該複数回取得した
時刻データに基づいて時刻修正用データを得るように構成され、且つ、前記データ処理動
作規制制御部は、前記時刻データを複数回繰り返して取得することが許容されるように前
記ＲＦ信号処理部およびベースバンド信号処理部の前記該当部分におけるデータ処理動作
の休止態様を制御するように構成されていることを特徴とする請求項１に記載の時計装置
。
【請求項３】
前記ベースバンド信号処理部の時刻データ取得部は、繰り返して連続的に複数回取得さ
れた複数の時刻データに基づいて当該取得された時刻データの信頼性を判断することを特
徴とする請求項２に記載の時計装置。
【請求項４】
ＣＤＭＡ方式の通信における電波を受信して復調しベースバンド信号を得るＲＦ信号処
理部と、
前記ＲＦ信号処理部によって取得されたベースバンド信号に復号処理を施すように構成
され該復号処理により得られたデータにおけるシンクチャネルメッセージを表すデータか
ら時刻を表す時刻データを取得して該取得した時刻データに基づいて時刻修正用データを
得る時刻データ取得部を含むベースバンド信号処理部と、
前記シンクチャネルメッセージの先頭部分の到来が認識された時点を実効的な時の起算
時点として、前記シンクチャネルメッセージにおける各データのうち前記時刻データの出
現時点よりも所定期間先行する時点までの期間に亘って、前記ＲＦ信号処理部およびベー
スバンド信号処理部の少なくとも何れかの該当部分におけるデータ処理動作を休止させる
データ処理動作規制制御部と、
を備えたことを特徴とする時計装置。
【請求項５】
前記ベースバンド信号処理部の時刻データ取得部は、繰り返し到来する前記シンクチャ
ネルメッセージを表すデータから前記時刻データを複数回繰り返して取得し該複数回取得
した時刻データに基づいて時刻修正用データを得るように構成され、且つ、前記データ処
理動作規制制御部は、前記時刻データを複数回繰り返して取得することが許容されるよう
に前記ＲＦ信号処理部およびベースバンド信号処理部の前記該当部分におけるデータ処理
動作の休止態様を制御するように構成されていることを特徴とする請求項４に記載の時計
装置。
【請求項６】
通信の目的とされるメッセージないしデータの搬送を担う主情報信号と該主情報信号の
送受信を可能にするべく基地局と移動局との通信の同期確保等のために時刻情報を含む所
定の各情報の一連の時系列の整列順位が確定した様式を有し当該主情報信号に関連して前
記基地局から送信される副情報信号とを含む情報信号を用いる通信方式による電波を受信
するに適合するアンテナへの接続端部と、
前記接続端部から供給される受信信号を受け該受信信号を復調してベースバンド信号を
得るＲＦ信号処理部と、
前記ＲＦ信号処理部によって取得されたベースバンド信号に復号処理を施すように構成
され該復号処理により得られたデータにおける前記副情報信号に対応した副情報データか
ら前記時刻情報を表す時刻データを取得する時刻データ取得部を含むベースバンド信号処
理部と、
前記ベースバンド信号処理部における復号処理で取得された副情報データの一連の時系
列の整列順位における先頭部分の到来が認識された時点を実効的な時の起算時点として、
前記副情報データの一連の時系列の整列順位における前記時刻データの出現時点よりも所
定期間先行する時点までの期間に亘って、前記ＲＦ信号処理部およびベースバンド信号処
理部の少なくとも何れかの該当部分におけるデータ処理動作を休止させるデータ処理動作
規制制御部と、
が一体的に構成されていることを特徴とする時計装置用モジュール。
【請求項７】
ＣＤＭＡ方式の通信における電波を受信するに適合するアンテナへの接続端部と、
前記接続端部から供給されるＣＤＭＡ方式のＲＦ信号を受け該ＲＦ信号を復調してベー
スバンド信号を得るＲＦ信号処理部と、
前記ＲＦ信号処理部によって取得されたベースバンド信号に復号処理を施すように構成
され該復号処理により得られたデータにおけるシンクチャネルメッセージを表すデータか
ら時刻を表す時刻データを取得する時刻データ取得部を含むベースバンド信号処理部と、
前記シンクチャネルメッセージの先頭部分の到来が認識された時点を実効的な時の起算
時点として、前記シンクチャネルメッセージにおける各データのうち前記時刻データの出
現時点よりも所定期間先行する時点までの期間に亘って、前記ＲＦ信号処理部およびベー
スバンド信号処理部の少なくとも何れかの該当部分におけるデータ処理動作を休止させる
データ処理動作規制制御部と、
が一体的に構成されていることを特徴とする時計装置用モジュール。
【請求項８】
通信の目的とされるメッセージないしデータの搬送を担う主情報信号と該主情報信号の
送受信を可能にするべく基地局と移動局との通信の同期確保等のために時刻情報を含む所
定の各情報の一連の時系列の整列順位が確定した様式を有し当該主情報信号に関連して前
記基地局から送信される副情報信号とを含む情報信号を用いる通信方式による電波を受信
して復調しベースバンド信号を取得する処理を含むＲＦ信号処理と、
取得された前記ベースバンド信号に復号処理を施して得られたデータにおける前記副情
報信号に対応した副情報データから前記時刻情報を表す時刻データを取得して該取得した
時刻データに基づいて時刻修正用データを生成する処理を含むベースバンド信号処理と、
前記副情報データの一連の時系列の整列順位における先頭部分の到来が認識された時点
を実効的な時の起算時点として、前記副情報データの一連の時系列の整列順位における前
記時刻データの出現時点よりも所定期間先行する時点までの期間に亘って、前記ＲＦ信号
処理およびベースバンド信号処理の少なくとも何れかの該当部分のデータ処理動作を休止
させるデータ処理動作規制制御と、
を実行することを特徴とする時刻データ修正処理方式。
【請求項９】
前記ベースバンド信号処理を、繰り返し到来する前記副情報信号に対応した副情報デー
タから前記時刻データを複数回繰り返して取得し該複数回取得した時刻データに基づいて
前記時刻修正用データを得るように実行し、且つ、前記データ処理動作規制制御を、前記
時刻データを複数回繰り返して取得することが許容されるように前記ＲＦ信号処理および
ベースバンド信号処理の前記該当部分におけるデータ処理動作を休止させる態様で実行す
ることを特徴とする請求項８に記載の時刻データ修正処理方式。
【請求項１０】
ＣＤＭＡ方式の通信における電波を受信して復調しベースバンド信号を得るＲＦ信号処
理と、
前記ＲＦ信号処理によって取得されたベースバンド信号に復号処理を施して得られたデ
ータにおけるシンクチャネルメッセージを表すデータから時刻を表す時刻データを取得し
て該取得した時刻データに基づいて時刻修正用データを生成する処理を含むベースバンド
信号処理と、
前記シンクチャネルメッセージの先頭部分の到来が認識された時点を実効的な時の起算
時点として、前記シンクチャネルメッセージにおける各データのうち前記時刻データの出
現時点よりも所定期間先行する時点までの期間に亘って、前記ＲＦ信号処理およびベース
バンド信号処理の少なくとも何れかの該当部分におけるデータ処理動作を休止させるデー
タ処理動作規制制御と、
を実行することを特徴とする時刻データ修正処理方式。
【請求項１１】
前記ベースバンド信号処理を、繰り返し到来する前記シンクチャネルメッセージを表す
データから前記時刻データを複数回繰り返して取得し該複数回取得した時刻データに基づ
いて時刻修正用データを得るように実行し、且つ、前記データ処理動作規制制御を、前記
時刻データを複数回繰り返して取得することが許容されるように前記ＲＦ信号処理および
ベースバンド信号処理の前記該当部分におけるデータ処理動作を休止させる態様で実行す
ることを特徴とする請求項１０に記載の時刻データ修正処理方式。
【発明の詳細な説明】
【技術分野】
【０００１】
本発明は、時計装置、時計装置用モジュール、および、時刻データ修正処理方式に関し
、特に、これらに係る消費電力抑制効果の向上に関する。
【背景技術】
【０００２】
ＣＤＭＡ（Code Division Multiple Access：符号分割多元接続）方式の携帯電話シス
テムは米国クアルコム社が開発した方式が１９９３年に米国の標準方式の１つ「ＩＳ９５
」に採用されたことから本格的な運用が開始されており、これ以降ＩＳ９５Ａ、ＩＳ９５
Ｂ、ＣＤＭＡ２０００という改訂を経て現在に到っている。また、日本国ではＡＲＩＢ 
ＳＴＤ−Ｔ５３に準じて携帯電話システムが運用されている。
【０００３】
ＣＤＭＡ方式は下り（基地局から移動局）は同期通信であり、基地局はＧＰＳ時刻デー
タの偶数秒に同期して送信している。従って、移動局が基地局の時刻データと同期する必
要があり、電源をオンにした時又は初期化時にパイロットＰＮをサーチしてシンクチャネ
ルのメッセージを受信するだけでＧＰＳ時刻、うるう秒、ローカルオフセット、サマータ
イムの状況などをデータとして得ることが可能である。
【０００４】
この時流において、広域で有効に機能する電波時計装置を実現するべく、ＣＤＭＡ方式
の携帯電話や自動車電話用基地局から送信される電波を受信して、この電波に重畳されて
いるシンクチャネルメッセージを表すデータからＧＰＳ時刻データを復調し、該復調され
たＧＰＳ時刻データに依拠して内蔵時計部の時刻データを修正しようとする技術も既に提
案されている（例えば特許文献１参照）。
【特許文献１】特開２０００−３２１３８３号公報（段落０００７〜段落０００８、図１）
【発明の開示】
【発明が解決しようとする課題】
【０００５】
しかしながら、特許文献１に開示された提案では、時刻データを得る為には、シンクチ
ャネルメッセージを表すデータからシステムタイムのデータを抽出するに際して、一旦シ
ステムタイムを得て、それが正しいデータであると判断するまでには、パケットの最後の
部分に付加されるＣＲＣをチェックする必要があり、時刻の修正に所要の時刻データを得
るだけのために処理としては不要な部分が大きく無駄な電力を消費してしまうといった問
題がある。
本発明はこのような事情に鑑みてなされたものであり、消費電力を大幅に抑制すること
ができる時計装置、時計装置用モジュール、および、時刻データ修正処理方式を提供する
ことを目的とする。
【課題を解決するための手段】
【０００６】
上記課題を解決するべく、本願では次に列記するような技術を提案する。
（１）通信の目的とされるメッセージないしデータの搬送を担う主情報信号と該主情報
信号の送受信を可能にするべく基地局と移動局との通信の同期確保等のために時刻情報を
含む所定の各情報の一連の時系列の整列順位が確定した様式を有し当該主情報信号に関連
して前記基地局から送信される副情報信号とを含む情報信号を用いる通信方式による電波
を受信して復調しベースバンド信号を得るＲＦ信号処理部と、
前記ＲＦ信号処理部によって取得されたベースバンド信号に復号処理を施すように構成
され該復号処理により得られたデータにおける前記副情報信号に対応した副情報データか
ら前記時刻情報を表す時刻データを取得して該取得した時刻データに基づいて時刻修正用
データを得る時刻データ取得部を含むベースバンド信号処理部と、
前記ベースバンド信号処理部における復号処理で取得された副情報データの一連の時系
列の整列順位における先頭部分の到来が認識された時点を実効的な時の起算時点として、
前記副情報データの一連の時系列の整列順位における前記時刻データの出現時点よりも所
定期間先行する時点までの期間に亘って、前記ＲＦ信号処理部およびベースバンド信号処
理部の少なくとも何れかの該当部分におけるデータ処理動作を休止させ、該休止の期間に
続く期間に前記データ処理動作の休止を解除して前記データ処理動作を稼動させ、該稼動
により前記ベースバンド処理部での時刻データの取得が行われて以降は前記該当部分にお
けるデータ処理動作を休止させるデータ処理動作規制制御部と、
を備えたことを特徴とする時計装置。
【０００７】
上記（１）の時計装置では、ＲＦ信号処理部において、通信の目的とされるメッセージ
ないしデータの搬送を担う主情報信号と該主情報信号の送受信を可能にするべく基地局と
移動局との通信の同期確保等のために時刻情報を含む所定の各情報の一連の時系列の整列
順位が確定した様式を有し当該主情報信号に関連して前記基地局から送信される副情報信
号（例えば、ＣＤＭＡ方式の通信におけるシンクチャネルメッセージを表す信号）とを含
む情報信号を用いる通信方式による電波を受信して復調しベースバンド信号を取得し、
ベースバンド信号処理部で、ＲＦ信号処理部によって取得されたベースバンド信号に復
号処理を施し、該ベースバンド信号処理部の時刻データ取得部において、復号処理により
得られたデータにおける副情報信号に対応した副情報データ（例えば、上述のようにＣＤ
ＭＡ方式の通信においてはシンクチャネルメッセージを表すデータ）から時刻情報を表す
時刻データを取得して該取得した時刻データに基づいて時刻修正用データを得る。
【０００８】
一方、データ処理動作規制制御部によって、ベースバンド信号処理部における復号処理
で取得された上述の副情報データの一連の時系列の整列順位における先頭部分の到来が認
識された時点を実効的な時の起算時点として、この副情報データの一連の時系列の整列順
位における時刻データの出現時点よりも所定期間先行する時点までの期間に亘って、ＲＦ
信号処理部およびベースバンド信号処理部の少なくとも何れかの該当部分（例えば、ＲＦ
信号処理部およびベースバンド信号処理部の全体、或いは、ベースバンド信号処理部の上
述の時刻データ取得部を含む所定部分）におけるデータ処理動作を休止させ、該休止の期
間に続く期間に前記データ処理動作の休止を解除して前記データ処理動作を稼動させ、該
稼動により前記ベースバンド処理部での時刻データの取得が行われて以降は前記該当部分
におけるデータ処理動作を休止させる。
この休止が行われることによって、時刻修正用データを得るためには関与しない処理を
行うための電力の消費が抑制され、装置の継続的な使用期間に亘って大幅な省電力化が実
現される。
【０００９】
（２）前記ベースバンド信号処理部の時刻データ取得部は、繰り返し到来する前記副情
報信号に対応した副情報データから前記時刻データを複数回繰り返して取得し該複数回取
得した時刻データに基づいて時刻修正用データを得るように構成され、且つ、前記データ
処理動作規制制御部は、前記時刻データを複数回繰り返して取得ことが許容されるように
前記ＲＦ信号処理部およびベースバンド信号処理部の前記該当部分におけるデータ処理動
作の休止態様を制御するように構成されていることを特徴とする（１）の時計装置。
【００１０】
上記（２）の時計装置では、（１）の時計装置において特に、ベースバンド信号処理部
の時刻データ取得部は、繰り返し到来する副情報信号に対応した副情報データから時刻デ
ータを複数回繰り返して取得し該複数回取得した時刻データに基づいて（例えば、平均処
理や多数決原理に則った判定処理によって）時刻修正用データを得るように構成され、且
つ、データ処理動作規制制御部は、時刻データを複数回繰り返して取得することが許容さ
れるようにＲＦ信号処理部およびベースバンド信号処理部の該当部分におけるデータ処理
動作の休止態様を制御する。
【００１１】
（３）前記ベースバンド信号処理部の時刻データ取得部は、繰り返して連続的に複数回
取得された複数の時刻データに基づいて当該取得された時刻データの信頼性を判断するこ
とを特徴とする（２）の時計装置。
上記（３）の時計装置では、（２）の時計装置において特に、繰り返して連続的に複数
回取得された複数の時刻データに基づいて当該取得された時刻データの信頼性を判断する
ため、時刻データの正確さを確認するために、例えば、副情報データ中の時刻データ自体
とは別の時刻データの正確さを表すデータを別途に読み込んで認識するまで上述の休止を
行わずに処理を継続して時刻データの正確さの程度を確認するといった動作を行う必要が
なくなり、省電力の特性を良好に維持しつつ確度の高い時刻修正動作を行なうことができ
る。
【００１２】
（４）ＣＤＭＡ方式の通信における電波を受信して復調しベースバンド信号を得るＲＦ
信号処理部と、
前記ＲＦ信号処理部によって取得されたベースバンド信号に復号処理を施すように構成
され該復号処理により得られたデータにおけるシンクチャネルメッセージを表すデータか
ら時刻を表す時刻データを取得して該取得した時刻データに基づいて時刻修正用データを
得る時刻データ取得部を含むベースバンド信号処理部と、
前記シンクチャネルメッセージの先頭部分の到来が認識された時点を実効的な時の起算
時点として、前記シンクチャネルメッセージにおける各データのうち前記時刻データの出
現時点よりも所定期間先行する時点までの期間に亘って、前記ＲＦ信号処理部およびベー
スバンド信号処理部の少なくとも何れかの該当部分におけるデータ処理動作を休止させる
データ処理動作規制制御部と、
を備えたことを特徴とする時計装置。
【００１３】
上記（４）の時計装置では、ＲＦ信号処理部によって、ＣＤＭＡ方式の通信における電
波を受信して復調しベースバンド信号を取得し、
ベースバンド信号処理部によって、ＲＦ信号処理部で取得されたベースバンド信号に復
号処理を施し、該ベースバンド信号処理部の時刻データ取得部において、該復号処理によ
り得られたデータにおけるシンクチャネルメッセージを表すデータから時刻を表す時刻デ
ータを取得して該取得した時刻データに基づいて時刻修正用データを生成する。
【００１４】
一方、データ処理動作規制制御部によってシンクチャネルメッセージの先頭部分の到来
が認識された時点を実効的な時の起算時点として、シンクチャネルメッセージにおける一
連の時系列の整列順位が確定した様式での各データ中の時刻データの出現時点よりも所定
期間先行する時点までの期間に亘って、ＲＦ信号処理部およびベースバンド信号処理部の
少なくとも何れかの該当部分におけるデータ処理動作を休止させる。
この休止が行われることによって、時刻修正用データを得るためには関与しない処理を
行うための電力の消費が抑制され、装置の継続的な使用期間に亘って大幅な省電力化が実
現される。
【００１５】
（５）前記ベースバンド信号処理部の時刻データ取得部は、繰り返し到来する前記シン
クチャネルメッセージを表すデータから前記時刻データを複数回繰り返して取得し該複数
回取得した時刻データに基づいて時刻修正用データを得るように構成され、且つ、前記デ
ータ処理動作規制制御部は、前記時刻データを複数回繰り返して取得することが許容され
るように前記ＲＦ信号処理部およびベースバンド信号処理部の前記該当部分におけるデー
タ処理動作の休止態様を制御するように構成されていることを特徴とする（４）の時計装
置。
【００１６】
上記（５）の時計装置では、（４）の時計装置において特に、ベースバンド信号処理部
の時刻データ取得部は、繰り返し到来するシンクチャネルメッセージを表すデータから時
刻データを複数回繰り返して取得し該複数回取得した時刻データに基づいて（例えば、平
均処理や多数決原理に則った判定処理によって）時刻修正用データを得るように構成され
、且つ、データ処理動作規制制御部は、時刻データを複数回繰り返して取得することが許
容されるようにＲＦ信号処理部およびベースバンド信号処理部の該当部分におけるデータ
処理動作の休止態様を制御する。
【００１７】
従って、時刻データの正確さを確認するために、例えば、シンクチャネルメッセージを
表すデータ中の時刻データ自体とは別の時刻データの正確さを表すデータを別途に読み込
んで認識するまで上述の休止を行わずに処理を継続して時刻データの正確さの程度を確認
するといった動作を行う必要がなくなり、省電力の特性を良好に維持しつつ確度の高い時
刻修正動作を行なうことができる。
【００１８】
（６）通信の目的とされるメッセージないしデータの搬送を担う主情報信号と該主情報
信号の送受信を可能にするべく基地局と移動局との通信の同期確保等のために時刻情報を
含む所定の各情報の一連の時系列の整列順位が確定した様式を有し当該主情報信号に関連
して前記基地局から送信される副情報信号とを含む情報信号を用いる通信方式による電波
を受信するに適合するアンテナへの接続端部と、
前記接続端部から供給される受信信号を受け該受信信号を復調してベースバンド信号を
得るＲＦ信号処理部と、
前記ＲＦ信号処理部によって取得されたベースバンド信号に復号処理を施すように構成
され該復号処理により得られたデータにおける前記副情報信号に対応した副情報データか
ら前記時刻情報を表す時刻データを取得する時刻データ取得部を含むベースバンド信号処
理部と、
前記ベースバンド信号処理部における復号処理で取得された副情報データの一連の時系
列の整列順位における先頭部分の到来が認識された時点を実効的な時の起算時点として、
前記副情報データの一連の時系列の整列順位における前記時刻データの出現時点よりも所
定期間先行する時点までの期間に亘って、前記ＲＦ信号処理部およびベースバンド信号処
理部の少なくとも何れかの該当部分におけるデータ処理動作を休止させるデータ処理動作
規制制御部と、
が一体的に構成されていることを特徴とする時計装置用モジュール。
【００１９】
上記（６）の時計装置用モジュールでは、時計装置に適用されることによって、アンテ
ナへの接続端部から該アンテナによる受信信号を受けるＲＦ信号処理部において、通信の
目的とされるメッセージないしデータの搬送を担う主情報信号と該主情報信号の送受信を
可能にするべく基地局と移動局との通信の同期確保等のために時刻情報を含む所定の各情
報の一連の時系列の整列順位が確定した様式を有し当該主情報信号に関連して前記基地局
から送信される副情報信号（例えば、ＣＤＭＡ方式の通信におけるシンクチャネルメッセ
ージを表す信号）とを含む情報信号を用いる通信方式による受信信号を復調してベースバ
ンド信号を取得し、
ベースバンド信号処理部で、ＲＦ信号処理部によって取得されたベースバンド信号に復
号処理を施し、該ベースバンド信号処理部の時刻データ取得部において、復号処理により
得られたデータにおける副情報信号に対応した副情報データ（例えば、上述のようにＣＤ
ＭＡ方式の通信においてはシンクチャネルメッセージを表すデータ）から時刻情報を表す
時刻データを取得して該取得した時刻データに基づいて時刻修正用データを得る。
【００２０】
一方、データ処理動作規制制御部によって、ベースバンド信号処理部における復号処理
で取得された上述の副情報データの一連の時系列の整列順位における先頭部分の到来が認
識された時点を実効的な時の起算時点として、この副情報データの一連の時系列の整列順
位における時刻データの出現時点よりも所定期間先行する時点までの期間に亘って、ＲＦ
信号処理部およびベースバンド信号処理部の少なくとも何れかの該当部分（例えば、ＲＦ
信号処理部およびベースバンド信号処理部の全体、或いは、ベースバンド信号処理部の上
述の時刻データ取得部を含む所定部分）におけるデータ処理動作を休止させる。
【００２１】
この休止が行われることによって、時刻修正用データを得るためには関与しない処理を
行うための電力の消費が抑制され、この時計装置用モジュールを適用した時計装置の継続
的な使用期間に亘って大幅な省電力化が実現される。
また、上述のような各機能部がモジュールとして一体化されているため高密度な実装に
適し時計装置の小型化に寄与する。
【００２２】
（７）ＣＤＭＡ方式の通信における電波を受信するに適合するアンテナへの接続端部と
、
前記接続端部から供給されるＣＤＭＡ方式のＲＦ信号を受け該ＲＦ信号を復調してベー
スバンド信号を得るＲＦ信号処理部と、
前記ＲＦ信号処理部によって取得されたベースバンド信号に復号処理を施すように構成
され該復号処理により得られたデータにおけるシンクチャネルメッセージを表すデータか
ら時刻を表す時刻データを取得する時刻データ取得部を含むベースバンド信号処理部と、
前記シンクチャネルメッセージの先頭部分の到来が認識された時点を実効的な時の起算
時点として、前記シンクチャネルメッセージにおける各データのうち前記時刻データの出
現時点よりも所定期間先行する時点までの期間に亘って、前記ＲＦ信号処理部およびベー
スバンド信号処理部の少なくとも何れかの該当部分におけるデータ処理動作を休止させる
データ処理動作規制制御部と、
が一体的に構成されていることを特徴とする時計装置用モジュール。
【００２３】
上記（７）の時計装置用モジュールでは、時計装置に適用されることによって、アン
テナへの接続端部から該アンテナによる受信信号を受けるＲＦ信号処理部において、ＣＤ
ＭＡ方式のＲＦ信号を受け該ＲＦ信号を復調してベースバンド信号を取得し、
ベースバンド信号処理部によって、ＲＦ信号処理部で取得されたベースバンド信号に復
号処理を施し、該ベースバンド信号処理部の時刻データ取得部において、該復号処理によ
り得られたデータにおけるシンクチャネルメッセージを表すデータから時刻を表す時刻デ
ータを取得して該取得した時刻データに基づいて時刻修正用データを生成する。
【００２４】
一方、データ処理動作規制制御部によってシンクチャネルメッセージの先頭部分の到来
が認識された時点を実効的な時の起算時点として、シンクチャネルメッセージにおける一
連の時系列の整列順位が確定した様式での各データ中の時刻データの出現時点よりも所定
期間先行する時点までの期間に亘って、ＲＦ信号処理部およびベースバンド信号処理部の
少なくとも何れかの該当部分におけるデータ処理動作を休止させる。
【００２５】
この休止が行われることによって、時刻修正用データを得るためには関与しない処理を
行うための電力の消費が抑制され、この時計装置用モジュールを適用した時計装置の継続
的な使用期間に亘って大幅な省電力化が実現される。
また、上述のような各機能部がモジュールとして一体化されているため高密度な実装に
適し時計装置の小型化に寄与する。
【００２６】
（８）通信の目的とされるメッセージないしデータの搬送を担う主情報信号と該主情報
信号の送受信を可能にするべく基地局と移動局との通信の同期確保等のために時刻情報を
含む所定の各情報の一連の時系列の整列順位が確定した様式を有し当該主情報信号に関連
して前記基地局から送信される副情報信号とを含む情報信号を用いる通信方式による電波
を受信して復調しベースバンド信号を取得する処理を含むＲＦ信号処理と、
取得された前記ベースバンド信号に復号処理を施して得られたデータにおける前記副情
報信号に対応した副情報データから前記時刻情報を表す時刻データを取得して該取得した
時刻データに基づいて時刻修正用データを生成する処理を含むベースバンド信号処理と、
前記副情報データの一連の時系列の整列順位における先頭部分の到来が認識された時点
を実効的な時の起算時点として、前記副情報データの一連の時系列の整列順位における前
記時刻データの出現時点よりも所定期間先行する時点までの期間に亘って、前記ＲＦ信号
処理およびベースバンド信号処理の少なくとも何れかの該当部分のデータ処理動作を休止
させるデータ処理動作規制制御と、
を実行することを特徴とする時刻データ修正処理方式。
【００２７】
上記（８）の時刻データ修正処理方式によれば、通信の目的とされるメッセージない
しデータの搬送を担う主情報信号と該主情報信号の送受信を可能にするべく基地局と移動
局との通信の同期確保等のために時刻情報を含む所定の各情報の一連の時系列の整列順位
が確定した様式を有し当該主情報信号に関連して基地局から送信される副情報信号（例え
ば、ＣＤＭＡ方式の通信におけるシンクチャネルメッセージを表す信号）とを含む情報信
号を用いる通信方式による電波を受信して復調しベースバンド信号を取得する処理を含む
ＲＦ信号処理と、
取得されたベースバンド信号に復号処理を施して得られたデータにおける副情報信号に
対応した副情報データ（例えば、上述のようにＣＤＭＡ方式の通信においてはシンクチャ
ネルメッセージを表すデータ）から時刻情報を表す時刻データを取得して該取得した時刻
データに基づいて時刻修正用データを生成する処理を含むベースバンド信号処理と、
副情報データの一連の時系列の整列順位における先頭部分の到来が認識された時点を実
効的な時の起算時点として、副情報データの一連の時系列の整列順位における時刻データ
の出現時点よりも所定期間先行する時点までの期間に亘って、ＲＦ信号処理およびベース
バンド信号処理の少なくとも何れかの該当部分（例えば、ＲＦ信号処理およびベースバン
ド信号処理の全て、或いは、ベースバンド信号処理中の上述の時刻データ取得を含む所定
の部分的処理）のデータ処理動作を休止させるデータ処理動作規制制御と、
が実行されることにより、時刻修正用データを得るためには関与しない処理を行うための
電力の消費が抑制され、装置の継続的な使用期間に亘って大幅な省電力化が実現される。
【００２８】
（９）前記ベースバンド信号処理を、繰り返し到来する前記副情報信号に対応した副情
報データから前記時刻データを複数回繰り返して取得し該複数回取得した時刻データに基
づいて前記時刻修正用データを得るように実行し、且つ、前記データ処理動作規制制御を
、前記時刻データを複数回繰り返して取得することが許容されるように前記ＲＦ信号処理
およびベースバンド信号処理の前記該当部分におけるデータ処理動作を休止させる態様で
実行することを特徴とする（８）の時刻データ修正処理方式。
【００２９】
上記（９）の時刻データ修正処理方式では、（８）の時刻データ修正処理方式において
特に、ベースバンド信号処理を、繰り返し到来する副情報信号に対応した副情報データか
ら時刻データを複数回繰り返して取得し該複数回取得した時刻データに基づいて（例えば
、平均処理や多数決原理に則った判定処理によって）時刻修正用データを得るように実行
し、且つ、データ処理動作規制制御を、時刻データを複数回繰り返して取得することが許
容されるようにＲＦ信号処理およびベースバンド信号処理の該当部分におけるデータ処理
動作を休止させる態様で実行する。
【００３０】
従って、時刻データの正確さを確認するために、例えば、副情報データ中の時刻データ
自体とは別の時刻データの正確さを表すデータを別途に読み込んで認識するまで上述の休
止を行わずに処理を継続して時刻データの正確さの程度を確認するといった動作を行う必
要がなくなり、省電力の特性を良好に維持しつつ確度の高い時刻修正動作を行なうことが
できる。
【００３１】
（１０）ＣＤＭＡ方式の通信における電波を受信して復調しベースバンド信号を得るＲ
Ｆ信号処理と、
前記ＲＦ信号処理によって取得されたベースバンド信号に復号処理を施して得られたデ
ータにおけるシンクチャネルメッセージを表すデータから時刻を表す時刻データを取得し
て該取得した時刻データに基づいて時刻修正用データを生成する処理を含むベースバンド
信号処理と、
前記シンクチャネルメッセージの先頭部分の到来が認識された時点を実効的な時の起算
時点として、前記シンクチャネルメッセージにおける各データのうち前記時刻データの出
現時点よりも所定期間先行する時点までの期間に亘って、前記ＲＦ信号処理およびベース
バンド信号処理の少なくとも何れかの該当部分におけるデータ処理動作を休止させるデー
タ処理動作規制制御と、
を実行することを特徴とする時刻データ修正処理方式。
【００３２】
上記（１０）の時刻データ修正処理方式では、ＣＤＭＡ方式の通信における電波を受信
して復調しベースバンド信号を得るＲＦ信号処理と、
ＲＦ信号処理によって取得されたベースバンド信号に復号処理を施して得られたデータ
におけるシンクチャネルメッセージを表すデータから時刻を表す時刻データを取得して該
取得した時刻データに基づいて時刻修正用データを生成する処理を含むベースバンド信号
処理と、
シンクチャネルメッセージの先頭部分の到来が認識された時点を実効的な時の起算時点
として、シンクチャネルメッセージにおける各データのうち前記時刻データの出現時点よ
りも所定期間先行する時点までの期間に亘って、前記ＲＦ信号処理およびベースバンド信
号処理の少なくとも何れかの該当部分におけるデータ処理動作を休止させるデータ処理動
作規制制御と、が実行されることにより、この休止によって、時刻修正用データを得るた
めには関与しない処理を行うための電力の消費が抑制され、装置の継続的な使用期間に亘
って大幅な省電力化が実現される。
【００３３】
（１１）前記ベースバンド信号処理を、繰り返し到来する前記シンクチャネルメッセー
ジを表すデータから前記時刻データを複数回繰り返して取得し該複数回取得した時刻デー
タに基づいて時刻修正用データを得るように実行し、且つ、前記データ処理動作規制制御
を、前記時刻データを複数回繰り返して取得するに対応するべく前記ＲＦ信号処理および
ベースバンド信号処理の前記該当部分におけるデータ処理動作を休止させる態様で実行す
ることを特徴とする（１０）の時刻データ修正処理方式。
【００３４】
上記（１１）の時刻データ修正処理方式では、（１０）の時刻データ修正処理方式にお
いて特に、ベースバンド信号処理を、繰り返し到来する前記シンクチャネルメッセージを
表すデータから時刻データを複数回繰り返して取得し該複数回取得した時刻データに基づ
いて時刻修正用データを得るように実行し、且つ、データ処理動作規制制御を、時刻デー
タを複数回繰り返して取得することが許容されるように前記ＲＦ信号処理およびベースバ
ンド信号処理の前記該当部分におけるデータ処理動作を休止させる態様で実行する。
【００３５】
従って、時刻データの正確さを確認するために、例えば、シンクチャネルメッセージを
表すデータ中の時刻データ自体とは別の時刻データの正確さを表すデータを別途に読み込
んで認識するまで上述の休止を行わずに処理を継続して時刻データの正確さの程度を確認
するといった動作を行う必要がなくなり、省電力の特性が一層向上し、且つ、確度の高い
時刻修正動作を行なうことができる。
【発明を実施するための最良の形態】
【００３６】
以下、本発明の実施の形態を図面を参照して説明する。
図１は、本発明の一つの実施の形態としての時計装置および時計装置用モジュール１０
の概要を表すブロック図である。
本発明では、例えば、ＣＤＭＡ方式の通信におけるように、通信の目的とされるメッセ
ージないしデータ（即ち、通話の音声やその他のデータなど）の搬送を担う主情報信号と
該主情報信号の送受信を可能にするべく基地局（例えば、携帯電話システムにおける基地
局）と移動局（例えば、携帯電話機などの端末）との通信の同期確保等のために時刻情報
を含む所定の各情報の一連の時系列の整列順位が確定した様式を有し当該主情報信号に関
連して前記基地局から送信される副情報信号（例えば、ＣＤＭＡ方式の通信におけるシン
クチャネルメッセージを表す信号）とを含む情報信号を用いる通信方式に適宜することを
前提としている。
【００３７】
図１において、ＲＦ信号処理部１００は、上述のような通信方式に則った態様の電波を
受けるに適合するアンテナ１１０で受信され該アンテナ１１０への接続端部１１から供給
される受信信号を受け該受信信号をダウンコンバートし復調してベースバンド信号を得る
ように構成されている。
ＲＦ信号処理部１００で得られた、例えば、Ｉ相とＱ相のベースバンド信号は、次段の
ベースバンド信号処理部２００に供給される。このベースバンド信号処理部２００は、上
述のベースバンド信号に復号処理を施すように構成され該復号処理により得られたデータ
における上述の副情報信号に対応した副情報データから時刻情報を表す時刻データを取得
する時刻データ取得部２１０を含む。
【００３８】
更に、ベースバンド信号処理部２００における復号処理で取得された副情報データ（Ｃ
ＤＭＡ方式の通信では、シンクチャネルメッセージを表すデータ）の一連の時系列の整列
順位における先頭部分の到来が認識された時点を実効的な時の起算時点として、この副情
報データの一連の時系列の整列順位における時刻データの出現時点よりも所定期間先行す
る時点までの期間に亘って、ＲＦ信号処理部１００およびベースバンド信号処理部２００
の少なくとも何れかの該当部分におけるデータ処理動作を休止させるような制御を行うデ
ータ処理動作規制制御部３００が設けられている。
【００３９】
データ処理動作規制制御部３００では、後述するような態様で、ＲＦ信号処理部１００
およびベースバンド信号処理部２００の少なくとも何れかの該当部分におけるデータ処理
動作を休止させるような制御を行うようにその制御態様を判断し、第１の制御信号Ｓｃ１
によりＲＦ信号処理部１００の動作を制御し、第２の制御信号Ｓｃ２によりベースバンド
信号処理部２００動作の制御を行なう。
【００４０】
ベースバンド信号処理部２００の時刻データ取得部２１０によって取得された時刻デー
タ（時刻修正用データ）は、時刻データ出力端部１２から出力されて、この時刻データに
基づいて時刻修正動作を行うマイクロプロセッサ（ＣＰＵと表記）に供給される。
本例では、上述の、アンテナ１１０への接続端部１１、ＲＦ信号処理部１００、ベース
バンド信号処理部２００、データ処理動作規制制御部３００、および、時刻データ出力端
部１２が一体的に構成されて、一点鎖線で図示されたような一つの時計装置用モジュール
１０が構成されている。
【００４１】
図２は、ＣＤＭＡ方式の信号を受信するシステムの例における、図１の時計装置用モジ
ュール１０中のベースバンド信号処理部２００の内部構成の概要を表すブロック図である
。
図１中のＲＦ信号処理部１００から供給されるＩ相およびＱ相のベースバンド信号は同
期部２１１と逆拡散部２１２に入力される。同期部２１１では、上述のように供給された
Ｉ相およびＱ相のベースバンド信号から直角位相拡散によるショートＰＮコードのタイミ
ングの同期を取り、同期タイミングを逆拡散部２１２へ通知する。
【００４２】
逆拡散部２１２では同期タイミングに基づいてＩ相およびＱ相のベースバンド信号にシ
ョートＰＮコードを乗算し、さらにウォルシュコードのうち０番を乗算して積分すること
によってパイロットチャネルを、ウォルシュコードの３２番を乗算して積分してシンクチ
ャネルを復調する。データ判定部２１３では上述のパイロットチャネルにより位相回転を
取り除きシンクチャネルのＢＰＳＫデータを判定する。
データ判定部２１３の出力は次段の復号部２１４によって時刻データＴＤを含む元のデ
ータに復され、時刻データ出力端部１２（図１）から出力される一方、データ処理動作規
制制御部３００（図１）に供給される。
【００４３】
図３は、図２のベースバンド信号処理部２００における復号部２１４の構成の詳細を表
すブロック図である。復号部２１４にその前段のデータ判定部２１３（図２）から供給さ
れる復調データは、デインターリーバ２１４１で１２８ビット単位の処理でデインターリ
ーブを施され、次段のデリピータ２１４２で１２８ビットのデータを１ビットずつ間引き
して６４ビットのデータとする。次いで、誤り訂正処理部２１４３で、デリピータ２１４
２からの６４ビットのデータに対し１／２の畳み込み符号化されているデータを復号処理
し３２ビットのデータとして最終的なデータを得る。
【００４４】
図４は、図３の構成による作用の説明を補足するために用いる図であり、図３の復号部
２１４の機能に対応する送信側の装置における符号化処理を行うための機能部の構成を表
すブロック図である。
送信対象とされる３２ビットのデータは１／２の畳み込み符号化処理部３１４３におい
て畳み込み符号化が施されて６４ビットのデータになり、次段のリピータ３１４２におい
て同じデータが２回繰り返されるように処理されて１２８ビットのデータとなり、更に次
段のインターリーバ３１４１において１２８ビットの中でデータの順番の並び替えの処理
が行なわれる。
【００４５】
図３を参照して説明した構成の復号部２１４における上述の作用は、図４を参照して説
明した送信側の装置における符号化処理と逆の処理を行うことによって、３２ビットの元
のデータを復すものであるということができる。
以上の構成において、データ処理動作規制制御部３００によって、シンクチャネルメッ
セージの先頭部分の到来が認識された時点を実効的な時の起算時点として、シンクチャネ
ルメッセージにおける一連の時系列の整列順位が確定した様式での各データ中の時刻デー
タの出現時点よりも所定期間先行する時点までの期間に亘って、ＲＦ信号処理部１００お
よびベースバンド信号処理部２００の少なくとも何れかの該当部分におけるデータ処理動
作を休止させるような制御が行われる。
【００４６】
この休止が行われることによって、時刻修正用データを得るためには関与しない処理を
行うための電力の消費が抑制され、この時計装置用モジュール１０を適用した時計装置の
継続的な使用期間に亘って大幅な省電力化が実現される。
また、上述のような各機能部がモジュールとして一体化されているため高密度な実装に
適し時計装置の小型化に寄与する。
【００４７】
次に、図面を参照して、ＣＤＭＡ方式の通信の場合におけるデータ処理動作規制制御部
３００の作用について、更に具体的に説明する。
図５は、ＣＤＭＡ携帯電話システムＣＤＭＡ２０００におけるシンクチャネルメッセー
ジのフォーマットを表す図である。シンクチャネルメッセージは通信の本来の目的とされ
るメッセージないしデータ（即ち、通話の音声やその他のデータなど）の搬送を担う主情
報信号の送受信を可能にするべく基地局と移動局との通信の同期確保等のために時刻情報
を含む所定の各情報の一連の時系列の整列順位が確定した様式を有するものである。
【００４８】
図５の表記では、上から下への順番で所定の各情報の一連の時系列の整列順位が表され
ている。
このシンクチャネルメッセージから時刻情報を得るためには、図５の各情報を表記した
一連の時系列の整列順位での中位以下の位置、即ち、この整列順位での後半部の一部分に
表されているSYS_TIME、LP_SEC、LTM_OFF、DAYLTの各データが必要となるが、その他のデ
ータは不要である。
【００４９】
このため、時刻情報を得る目的での受信に際しては、シンクチャネルメッセージの先頭
が到来したことを認識した時点で、復調動作を一旦停止し、時刻情報の取得に必要な情報
であるSYS_TIMEが始まる数ビット前から復調動作を再開し、DAYLTの復調が完了した時点
で復調動作に関与する各該当部を完全に停止する（例えば、これら各該当部に対する給電
を絶つ）ようにして、全てのメッセージを復調する場合との相対において、大幅に消費電
力を抑制することが可能となる。
より具体的には、図５のシンクチャネルメッセージは３１ビット毎に区切られ、SOM（S
tart Of Message）と呼ばれるビットを付加され３２ビットの塊で構成されるビット列の
区間毎に処理が行なわれる。この様子を図６に示す。
【００５０】
図６は、シンクチャネルメッセージのデータに関する３２ビットの塊で構成される各ビ
ット列の区間と、担うべき情報の種別毎の区分（フィールド）に対応するビット列の配分
を表す図である。
図６に表されているように、上から順に３１ビット毎に区切る為、フィールドによって
はSOMをまたいで２つの部分に分けられるものもある。
図３を参照して説明した３２ビット毎の処理は上述の３２ビットの塊を順次対象として
実行されることになる。このため、通常、SOMから復調できるように復調のタイミングが
選ばれる。
【００５１】
以下には、上述のような通常の処理におけるシンクチャネルメッセージの復調処理の停
止と復調処理の再開といった制御について更に説明する。
シンクチャネルメッセージは誤り訂正符号として符号化率１／２、拘束長９の畳み込み
符号が使われている。拘束長９で畳み込み符号化されたデータを正しく復号する為には、
必要となるビットよりも数ビット前のデータから誤り訂正処理を行なう必要がある。その
為、復調動作の再開のタイミングはSYS_TIMEよりも先行するLC_STATE（４２ビット）の途
中に相当する時点からということになる。これは、図６において、Ｍ４のビット列の区間
内の図示のような後半の部分に位置する。
【００５２】
図７は、上述のような復調処理の開始、停止、および、再開のタイミングを表す図であ
る。図７の表記では、デインターリーブ前の信号と誤り訂正後の信号が上下に対比させて
表されている。デインターリーバ２１４１（図３）で１２８ビット単位（図７では、この
単位毎にＭ１、Ｍ２、…、Ｍ７と表記）の処理でデインターリーブを施される信号は、誤
り訂正処理が施されて３２ビット単位（図７では、Ｍ１′、Ｍ２′、…と表記）に信号変
換処理される過程で下方の横軸に表されたように所定の遅延が生じることになる。
【００５３】
即ち、図７ではデインターリーブ前の信号（１２８ビット）はインターリーブ処理の為
に１２８ビット分遅延し、更に誤り訂正処理の為に数ビット遅延する。図ではこの遅延を
「処理遅延」と表記している。処理遅延は、誤り訂正処理に何ビット遅延するかに依存し
、誤り訂正回路の構成により決まるものである。
上述の所定の遅延時間を経て順次出現する誤り訂正後の信号におけるSOMは、復号され
た３２ビットの先頭の１ビットであることを示しており、このSOMの値は、シンクチャネ
ルメッセージの始まりでは１、それ以外では０をとるように規定されている。
【００５４】
復号処理における誤り訂正処理を経て、上述の３２ビット単位のビット列の区間Ｍ１′
、Ｍ２′、…に関して、図示のように、SOM=1が検出（認識）される時点は、上述のデイ
ンターリーブが施される１２８ビット単位のビット列の区間で見ると、２番目のビット列
の区間Ｍ２が発現している期間の中間時点に対応しており、時間軸上でのこの位置がシン
クチャネルメッセージの始端に相応する。
【００５５】
図８は、本発明の実施の形態において、シンクチャネルメッセージに基づいて時刻修正
を行なうときの一つの実施例の動作を表すフローチャートである。この動作は、データ処
理動作規制制御部３００（図１）の制御下で実行される。
継続的に復調処理（ＲＦ信号処理部１００）および復号処理（ベースバンド信号処理部
２００）が行われている状態で、既述のように誤り訂正処理を施した３２ビット単位のビ
ット列の区間Ｍ１′、Ｍ２′、…に関して、順次のSOMを検出する（ステップＳ８０１）
。
【００５６】
ステップＳ８０１でのSOMの検出処理において、シンクチャネルメッセージの始まりを
表す「１」が検出たか否かを判断し（ステップＳ８０２）、SOM =1が検出されると（ステ
ップＳ８０２：Ｙｅｓ）、復調処理（ＲＦ信号処理部１００）を停止する（ステップＳ８
０３）。尚、シンクチャネルメッセージの始まりを表すSOM =1が検出されないうちは（ス
テップＳ８０２：Ｎｏ）、ステップＳ８０１に戻って動作を繰り返す。
【００５７】
ステップＳ８０３に次いで、シンクチャネルメッセージのP_REVを判読して時刻情報の
開始位置（時点）を認識する（ステップＳ８０４）。
ステップＳ８０４で時刻情報の開始位置（時点）を認識し、この認識を保持して、次い
で復調動作を停止する（ステップＳ８０５）。
ステップＳ８０５で復調・復号動作を停止して以降、この停止時点からの経過時間に関
する計時動作を実行して、経過時間をモニタして（ステップＳ８０６）時刻情報の開始位
置（より厳密には、後述するように、その開始位置時点よりも所定時間先行する時点）の
到来を待機する（ステップＳ８０７：Ｎｏ→ステップＳ８０６）。
【００５８】
ステップＳ８０７で時刻情報の開始位置よりも所定時間先行する時点（この例ではビッ
ト列の区間Ｍ４の冒頭）が到来したと判断されたときには（ステップＳ８０７：Ｙｅｓ）
復調・復号処理を再開する（ステップＳ８０８）。
ステップＳ８０８で復調・復号処理を再開した時点から復調・復号処理を継続しつつ、
これらの処理の継続に係る経過時間をモニタして（ステップＳ８０９）、上述の１２８ビ
ット単位のビット列の区間Ｍ７の途中に当たる所定時点に到ったか否かを判断する（ステ
ップＳ８１０）。
【００５９】
ステップＳ８１０で、所定時点に到ったものと判断されたときには（ステップＳ８１０
：Ｙｅｓ）、復調処理を停止する（ステップＳ８１１）。
ステップＳ８１１で復調処理を停止しても、復号処理は継続している。このように継続
している復号処理で、時刻を表すデータの取得が完結することに対応するDAYLTデータが
復号されたか否かが判断され（ステップＳ８１２）、DAYLTデータが復号されたと判断さ
れたときには（ステップＳ８１２：Ｙｅｓ）、復号処理を停止して（ステップＳ８１３）
、時刻修正処理に移行する（ステップＳ８１４）。
【００６０】
ステップＳ８１２でDAYLTデータが復号されたと判断されるに到らないうちは（ステッ
プＳ８１２：Ｎｏ）、復号処理は継続される。
上述のステップＳ８０４のように、P_REVによりどのビットに時刻情報が入っているか
を判断することができる。
尚、ＩＳ９５Ａ、ＩＳ９５Ｂ、ＣＤＭＡ２０００などのシステムでは時刻情報の位置は
同一である。
【００６１】
従って、これらのシステムに適合するような形態で本発明を実施する場合には、読み込
んだP_REVに基づいて時刻情報の位置を認識するに替えて、規定通りの該当するタイミン
グで時刻情報を判読するようにしてもよい。
或いはまた、毎回P_REVを読み込むことは省略し、初回のみP_REVを読み込み、次回以降
は、当初に読み込んだP_REVに基づいて認識される決まった位置から時刻情報を取得する
ようにしてもよい。
【００６２】
一方、ステップＳ８０４→Ｓ８０７でモニタおよび判断する所定時点は、時刻データの
出現時点よりも所定期間先行する時点であり、上述の例では、この時点は、SYS_TIMEより
も先行するLC_STATE（４２ビット）の途中に相当する時点であって、図６において、Ｍ４
のビット列の区間内の図示のような後半の部分の位置に先行するＭ４のビット列の区間の
冒頭に設定する。
【００６３】
しかしながら、上述のように「時刻データの出現時点よりも所定期間先行する時点」を
規定することはあくまでも一例であって、SYS_TIMEはＭ４の途中から始まり、たとえ誤り
を生じてもある程度は誤り訂正を行なう事が可能である為、復調動作を再開する時点を、
上述の例におけるよりも更に遅らせて、ビット列の区間Ｍ４の中間点から行なう事も可能
である。
また、上述の例では、ステップＳ８１０→ステップＳ８１１で、ビット列の区間Ｍ７の
途中まで復調してから復調処理を停止するとしているが、どこまで復調するかは任意であ
る。Ｍ７途中までのデータは、誤り訂正の復号処理による誤訂正を出来るだけなくす為に
は多い方が好ましい。
【００６４】
尚、通常の受信で時刻を合わせる場合、メッセージの最後から所定時間経過したタイミ
ングに時刻修正を行なう。図８のフローチャートを参照して説明した処理ではメッセージ
の最後まで受信を行なっていないが、P_REVでメッセージの長さが分かっていれば（即ち
、メッセージの最後が来るタイミングが分かっていれば）、部分的に復調処理を行なって
時刻情報だけを取得したとしても、時刻修正のタイミングは知ることができる。ステップ
Ｓ８１４で移行する時刻修正処理では、上述のようにして知ることのできる適切なタイミ
ングで時刻修正が実行される。
【００６５】
以上の例より理解されるように、本発明の実施の形態では、ＣＤＭＡ方式の通信ではシ
ンクチャンネルメッセージである副情報データの冒頭位置を認識してから時刻情報（デー
タ）を得るまでの期間と、この時刻情報を得た後の期間で、復調処理（ＲＦ信号処理部）
の復号処理（ベースバンド処理部）双方または一方の少なくとも該当部分を停止して、シ
ンクチャネルメッセージを初めから最後まで復調、復号するような場合に比べ、消費電力
を低く抑えることができる。
以上の説明は、特定のフォーマットに従った信号を用いるシステムの場合について説明
したが、本発明の技術思想では、副情報に係るメッセージの先頭が検出できたら時刻情報
を示す部分まで復調動作（その機能部）を停止し、時刻情報に関する部分のみを選択的に
抽出して復調することによって、低消費電力化が実現される。
【００６６】
図９は、本発明の実施の形態において、シンクチャネルメッセージに基づいて時刻修正
を行なうときの他の実施例の動作を表すフローチャートである。この動作は、データ処理
動作規制制御部３００（図１）の制御下で実行される。
図９の実施例では、図８のステップＳ８０１〜ステップＳ８０５と同様の処理（ステッ
プＳ９０１→ステップＳ９０２→ステップＳ９０３→ステップＳ９０４→ステップＳ９０
５）を実行して、ＳＯＭ＝１の検出、復調処理の停止、復号処理の停止を行った後、図８
のステップＳ８０６〜ステップＳ８１３の処理を繰り返しＮ回実行する（ステップＳ９０
６→ステップＳ９０７→ステップＳ９０８→ステップＳ９０９→ステップＳ９０７）。
【００６７】
この繰り返しによって規定の処理回数Ｎに相応してＮ個の時刻情報を得ると、それらの
時刻データに基づいて、取得された時刻情報の信頼性を判断する（ステップＳ９１０）。
例えば、Ｎ＝３と設定している場合、２つの時刻情報のうちのいずれかが正しい時刻情
報を示してない場合、３つ目のシンクチャネルメッセージの情報を読むことで、３つのう
ち２つが一致した場合にはこの２つが表す時刻情報が信頼性が高いものとして、この時刻
情報に基づいて時刻修正を行なう事が可能となる。また、信頼性の高い時刻データを得る
ために例えば、平均処理や多数決原理に則った判定処理によって時刻修正の基準とするべ
き時刻データを得るようにしてもよい。
【００６８】
同様に、更に多くの回数繰り返して時刻情報を読むことによりデータの信頼性を高める
事が可能となる。
ステップＳ９１１で、既にＮ個取得されている時刻情報のから信頼性のある値が認識さ
れれば、その信頼性のある時刻情報に依拠しての時刻情報修正処理に移行する（ステップ
Ｓ９１２）。
【００６９】
尚、既にＮ個取得されている時刻情報のから信頼性のある値が認識されないときには、
例えば、目下の環境下では時刻修正を適正に実行することが困難である趣旨の警告表示を
行う（ステップＳ９１３）。
尚、P_REVでメッセージの最後が来るタイミングが分かるので、ステップＳ９１２で移
行する時刻修正処理では、適切なタイミングで時刻修正が実行される点は、図８のフロー
チャートを参照して説明した実施例と同様である。
【００７０】
上述の説明における、２つのデータの関係から正しい時刻情報を示しているかどうかの
判断をどのようにして行うかに関して更に詳述する。
シンクチャネルメッセージは８０ｍｓごとのスーパーフレームと呼ばれる単位の整数倍
の長さで送られている。８０ｍｓの何倍で送られているかは、シンクチャネルメッセージ
のMSG_LENGTHから判読される。
【００７１】
一つのシンクチャネルメッセージのSYS_TIMEと、それに続くシンクチャネルメッセージ
におけるSYS_TIMEの値は、この８０ｍｓの整数倍に相応する時間だけ異なっている。
例えば図５のシンクチャネルメッセージのフォーマットでは、各個のシンクチャネルメ
ッセージをそれぞれ２４０ｍｓかけて送る。この場合、２つの連続するSYS_TIMEは（１０
進数で）３だけ事なる値を示すことになる。連続する２つのSYS_TIMEのデータがこの関係
を満たし、且つ他の情報(LP_SEC、LTM_OFF、DAYLT)が一致していれば、その値は正しい情
報を示していると判断できる。
【００７２】
シンクチャネルメッセージの最後に付加されているCRCによりデータに誤りがないかの
チェックを行わない場合には、データの信頼性は保証されないが、図９を参照して説明し
た実施例では、シンクチャネルメッセージのCRCからデータの信頼性を確認するに替えて
、連続する複数のシンクチャネルメッセージの時刻情報（SYS_TIME、LP_SEC、LTM_OFF、D
AYLT）を判読することによってデータの信頼性を確保することが可能になる。
【００７３】
従って、図９を参照して説明した実施例では、時刻データの正確さを確認するために、
例えば、副情報データ（シンクチャネルメッセージ）中の時刻データ自体とは別の時刻デ
ータの正確さを表すデータ（CRC）を別途に読み込んで認識するまで休止を行わずに復号
処理を継続して時刻データの正確さの程度を確認するといった動作を行う必要がなくなり
、省電力の特性を良好に維持しつつ、複数のシンクチャネルメッセージの時刻情報（SYS_
TIME、LP_SEC、LTM_OFF、DAYLT）を判読することによって確度の高い時刻修正動作を行な
うことができる。
以上の本発明において、上述のように間欠的にデータを読むことの利点について更に具
体的に説明する。
【００７４】
図１０は、ＣＤＭＡ２０００規格に示されているシンクチャネルメッセージの構成例で
ある。
シンクチャネルメッセージは２−１１４６ビットの幅で設定される。このため、図１０
のシンクチャネルフォーマットから、将来的には１１４６ビットまでデータが追加される
可能性がある。この場合、シンクチャネルのデータレート１．２ｋｂｐｓで１１４６ビッ
ト送るには約１秒かかることとなる。このうち時刻修正に必要なビットは５１ビットであ
り、残りはＣＲＣチェックを行なうためにだけ必要となる。
【００７５】
本発明のように時刻情報だけをＮ回判読することによってデータの信頼性を高めるよう
にすれば、復調処理が必要なビット数を Ｎ×（５１／１１４６）に削減でき、全てのデ
ータを復調する場合に比べて復調する時間を大幅に減らす事が可能となり、結果として大
幅に低消費電力化が可能である。
以上の説明は、特定のフォーマットに従った信号を用いるシステムの場合について説明
したが、本発明の技術思想では、副情報に係るメッセージの先頭が検出できたら時刻情報
を示す部分まで復調動作（その機能部）を停止し、時刻情報に関する部分のみを選択的に
抽出して復調することによって、低消費電力化が実現される。
【００７６】
他方、以上、図面を参照して説明した本発明の技術は、通信の目的とされるメッセージ
ないしデータの搬送を担う主情報信号と該主情報信号の送受信を可能にするべく基地局と
移動局との通信の同期確保等のために時刻情報を含む所定の各情報の一連の時系列の整列
順位が確定した様式を有し当該主情報信号に関連して前記基地局から送信される副情報信
号（例えば、ＣＤＭＡ方式の通信におけるシンクチャネルメッセージを表す信号）とを含
む情報信号を用いる通信方式による電波を受信して復調しベースバンド信号を取得する処
理を含むＲＦ信号処理と、
取得された前記ベースバンド信号に復号処理を施して得られたデータにおける前記副情
報信号に対応した副情報データ（例えば、上述のようにＣＤＭＡ方式の通信においてはシ
ンクチャネルメッセージを表すデータ）から前記時刻情報を表す時刻データを取得して該
取得した時刻データに基づいて時刻修正用データを生成する処理を含むベースバンド信号
処理と、
前記副情報データの一連の時系列の整列順位における先頭部分の到来が認識された時点
を実効的な時の起算時点として、前記副情報データの一連の時系列の整列順位における前
記時刻データの出現時点よりも所定期間先行する時点までの期間に亘って、前記ＲＦ信号
処理およびベースバンド信号処理の少なくとも何れかの該当部分のデータ処理動作を休止
させるデータ処理動作規制制御と、
を実行することを特徴とする時刻データ修正処理方式としても要約される。
【００７７】
このような時刻データ修正処理方式によれば、時刻修正用データを得るためには関与し
ない処理を行うための電力の消費が抑制され、装置の継続的な使用期間に亘って大幅な省
電力化が実現される。
更にまた、図９を参照して説明した技術は、前記ベースバンド信号処理を、繰り返し到
来する前記副情報信号（例えば、ＣＤＭＡ方式の通信におけるシンクチャネルメッセージ
を表す信号）に対応した副情報データ（例えば、シンクチャネルメッセージを表すデータ
）から前記時刻データを複数回繰り返して取得し該複数回取得した時刻データに基づいて
前記時刻修正用データを得るように実行し、且つ、前記データ処理動作規制制御を、前記
時刻データを複数回繰り返して取得することが許容されるように前記ＲＦ信号処理および
ベースバンド信号処理の前記該当部分におけるデータ処理動作を休止させる態様で実行す
ることを特徴とする時刻データ修正処理方式としても要約される。
【００７８】
この方式によれば、時刻データの正確さを確認するために、例えば、副情報データ中の
時刻データ自体とは別の時刻データの正確さを表すデータを別途に読み込んで認識するま
で上述の休止を行わずに処理を継続して時刻データの正確さの程度を確認するといった動
作を行う必要がなくなり、省電力の特性を良好に維持しつつ確度の高い時刻修正動作を行
なうことができる。
【図面の簡単な説明】
【００７９】
【図１】本発明の一つの実施の形態としての時計装置および時計装置用モジュールの概要を表すブロック図である。
【図２】図１の時計装置用モジュール中のベースバンド信号処理部の内部構成の概要を表すブロック図である。
【図３】図２のベースバンド信号処理部における復号部の構成の詳細を表すブロック図である。
【図４】図３の構成による作用の説明を補足するために用いる図である。
【図５】ＣＤＭＡ２０００におけるシンクチャネルメッセージのフォーマットを表す図である。
【図６】シンクチャネルメッセージのデータが担うべき情報の種別毎の区分に対応するビット列の配分を表す図である。
【図７】復調処理の開始、停止、および、再開のタイミングを表す図である。
【図８】シンクチャネルメッセージに基づいて時刻修正を行なうときの一つの実施例の動作を表すフローチャートである。
【図９】シンクチャネルメッセージに基づいて時刻修正を行なうときの他の実施例の動作を表すフローチャートである。
【図１０】ＣＤＭＡ２０００規格に示されているシンクチャネルメッセージの構成例である。
【符号の説明】
【００８０】
１０…時計装置用モジュール  １１…アンテナへの接続端部  １２…時刻データ出力端部
１００…ＲＦ信号処理部  １１０…アンテナ  ２００…ベースバンド信号処理部  ２１
０…時刻データ取得部  ２１１…同期部  ２１２…逆拡散部  ２１３…データ判定部  ２
１４…復号部  ３００…データ処理動作規制制御部  ２１４１…デインターリーバ  ２１
４２…デリピータ  ２１４３…誤り訂正処理部  ３１４１…インターリーバ  ３１４２…
リピータ  ３１４３…畳み込み符号化処理部
【図１】
2008170357.tif 000003
【図２】
2008170357.tif 000004
【図３】
2008170357.tif 000005
【図４】
2008170357.tif 000006
【図５】
2008170357.tif 000007
【図６】
2008170357.tif 000008
【図７】
2008170357.tif 000009
【図８】
2008170357.tif 000010
【図９】
2008170357.tif 000011
【図１０】
2008170357.tif 000012